(57)【要約】本発明は、生体医療用電極（１）と、ケーブル（２）と、ケーブル（２）に電極（１）を固定することとなる弾力性のあるワンタッチ式の固定手段（３，４）とを備えた組み立て体に関する。上記固定手段（３，４）は、雄部材（３）と雌部材（４）とを備えている。本発明は、雄部材（３）が穴（５）を備え、雌部材（４）が、上記穴（５）に収容されることができるような形状をしている突出部（９）を備えていることを特徴としている。
2005536254.tif 000002
【特許請求の範囲】
【請求項１】
生体医療用電極（１）と、ケーブル（２）と、上記ケーブル（２）に上記電極（１）を固定することとなる弾力性のあるワンタッチ式の固定手段（３，４）とを備えている組み立て体において、上記固定手段（３，４）は雄部材（３）及び雌部材（４）を備えており、その雄部材（３）は穴（５）を有しており且つその雌部材（４）は突出部（９）を有しており、突出部（９）は上記穴（５）の中に収容されるように形造られていることを特徴とする組み立て体。
【請求項２】
雄部材（３）は電極（１）に固定されており、雌部材（４）はケーブル（２）に固定されていることを特徴とする請求項１に記載の組み立て体。
【請求項３】
雄部材（３）は、雌部材（４）に面している側に配置されていて、実質的に円錐台形状の第一部分（６）を備えており、その第一部分（６）は、第一部分（６）のそれとは逆であるところの実質的に円錐台形状の第二部分（７）の上に設置されていることを特徴とする請求項１または２に記載の組み立て体。
【請求項４】
雄部材（３）の主な垂直軸に関して、第一部分（６）の側壁によって作られる角度は、第二部分（７）の側壁によって作られる角度より小さいことを特徴とする請求項３に記載の組み立て体。
【請求項５】
第一部分（６）の側壁によって作られる角度は５°と１５°の間にあり、第二部分（７）の側壁によって作られる角度は３０°と５０°の間にあることを特徴とする請求項４に記載の組み立て体。
【請求項６】
第一部分（６）の側壁によって作られる角度は概ね８°に等しく且つ第二部分（７）の側壁によって作られる角度は概ね４０°に等しいことを特徴とする請求項５に記載の組み立て体。
【請求項７】
請求項１から６のいずれか一つに記載されている雄部材（３）を備えている生体医療用電極（１）。
【請求項８】
請求項１から６のいずれか一つに記載されている雌部材（４）を備えているケーブル（２）。
【発明の詳細な説明】
【技術分野】
【０００１】
本発明は、生体医療用電極を固定するための装置に関する。より正確には、それは、弾力のあるワンタッチ式の固定手段を含むところの生体医療用電極を固定するための装置に関する。
【背景技術】
【０００２】
US  ３８８２８５３、US  ４６６０５６２、ＣＨ  ６６８６９０、US  ６２７６０５４、ＦＲ  １３１４２０１、及びＷO  ０１/１７４２３の特許文献は、一回のみ使用される電極のための固定装置を開示している。通常は、電極は、人間の皮膚に電極を固定するために意図されている粘着性の面と、伝導性の雄部材を提供されている面とを含んでいる平面形状のフレキシブルな部材から構成されている。各々の電極は、前述の雄部材を収容することを意図されている雌部材をその端部の一方で提供されているケーブルと提携している。
【発明の開示】
【０００３】
本発明の目的は、特に、電極とケーブルの間におけるより一層の機械的強さ及びより一層の伝導性を得られるように、雄部材と雌部材の間の結合を改善することと、また、それらを一緒に固定する際に雄部材上に雌部材を簡単に配置できるようにすることである。
【０００４】
本発明は、生体医療用電極と、ケーブルと、上記ケーブルに上記電極を固定することを意図している弾力のあるワンタッチ式の固定手段とを備えている組み立て体に関しており、上記固定手段は、雄部材が穴を有しており、雌部材が突出部を有していることを特徴とする雄部材及び雌部材を備えており、後者は二つの部材を一緒に固定する際に上記穴の中に収容されるように形造られている。
【０００５】
本発明の選択された実施形態によれば、雄部材は電極上に配置され、そして、雌部材はケーブルの一端に位置している。
【０００６】
一つの変形に従えば、固定装置は先に開示されている先行技術のそれに同じである。しかしながら、それは、雄部材がその上部面に穴を含んでおり、且つ、雌部材がその空洞内に、二つの部材が一度一緒に固定されたならば、雄部材の穴の中に収容されることが意図されている突出部を含んでいるという点で異なっている。
【０００７】
二つの部材をより簡単に固定するために、しかしまた、一度それらが固定されたならばそれらを同じ場所に保つために、雄部材が、雌部材に面する側に配置されており、実質上円錐台形状の第一部分を備えており、その第一部分は、第一部分のそれの逆であるところの実質上円錐台形状の第二部分の上に設置されていることを特徴とする固定装置を選定することが好ましい。雄部材の主な垂直軸に関して、第一部分の側壁によって作られる角度は、第二部分の側壁によって作られる角度よりも小さい。
【０００８】
発明の変形に従えば、第一部分の側壁によって作られる角度は、５°と１５°の間にあり、第二部分の側壁によって作られる角度は、３０°と５０°の間にある。
一つの特別に有利な形状は、第一部分の側壁によって作られる角度が概ね８°に等しく且つ第二部分の側壁によって作られる角度が概ね４０°に等しいときに得られている。
【０００９】
本発明は、また、以上で説明した電極に関し、且つ、以上で説明した雌プラグを提供されているケーブルに関する。
本発明の一つの実施形態が、以下の図面によって、以下に詳細に説明されるでしょう。
【発明を実施するための最良の形態】
【００１０】
図１をみると、平坦形状のフレキシブルな電極１は、その上側表面に雄部材３を備えて提供されている。後者（同様に図２参照）は、主に、円錐台形状の第一部分６と同じく円錐台形状であるが第一部分とは位置が反対である第二部分７とからなっている。雄部材の上側表面に配置されているのは穴５である。
雌部材４は雄部材３を取り囲むことを意味する空洞８を備えている。
空洞８の内側は、好ましくは、伝導性の材料で作られている、ピン９を含んでいる。
一度二つの部材がともに固定されると（図３参照）、ピン９は雄部材３の穴５の壁と密接に接触する。
【００１１】
図２を見ると、垂直線と雄部材３の上部部分６側壁との間で定義される角度αは、垂直線と雄部材３の下側部分の側壁との間で定義される角度βよりも小さい。
角度αが概ね８°に等しく且つ角度βが概ね４０°に等しいということが、効果的な保持力として、それと同時に簡単な固定を提供するために、ちょうどよい歩み寄りを構成している、ということが見出された。
【００１２】
いうまでもなく、本発明は電極の一つの特別な形状に限定されるわけではない。同様に、種々の部材の材料及び幾何図形的配置の選択は、それゆえに、上記で議論された例で説明されたところのものに限定されない。
さらにまた、発明は一つの特別な使用分野に限定されない。好ましくは、それは筋肉の電気的刺激の分野をねらっており、しかしそれはまた、他の場合は、例えば、心電図を作るために応用されるかもしれない。
【図面の簡単な説明】
【００１３】
【図１】電極、ケーブル及び固定手段を備える組み立て体の図。
【図２】雄部材及び雌部材で、相互に分離している部材の横断面図。
【図３】雄部材及び雌部材で、相互に固定している部材の横断面図。
【図１】
2005536254.tif 000003
【図２】
2005536254.tif 000004
【図３】
2005536254.tif 000005
【手続補正書】
【提出日】平成16年7月31日(2004.7.31)
【手続補正１】
【補正対象書類名】特許請求の範囲
【補正対象項目名】請求項１
【補正方法】変更
【補正の内容】
【請求項１】
生体医療用電極（１）と、ケーブル（２）と、上記ケーブル（２）に上記電極（１）を固定することとなる弾力性のあるワンタッチ式の固定手段（３，４）とを備えている組み立て体において、上記固定手段（３，４）は雄部材（３）及び雌部材（４）を備えており、上記雌部材（４）は上記雄部材（３）を取り囲むこととなる空洞（８）を有しており、その雄部材（３）は穴（５）を有しており且つその雌部材（４）は突出部（９）を有しており、突出部（９）は上記穴（５）の中に収容されるように形造られていることを特徴とする組み立て体。
【国際調査報告】
2005536254.tif 000006
2005536254.tif 000007
2005536254.tif 000008
2005536254.tif 000009